(57)【要約】【課題】既設の鉄道信号保安装置を取り替えるときに、簡単な構成で短時間に安定して切り替える。【解決手段】ＣＰＵが制御不能な場合に出力を遮断する機能を有するＷＤＴリレー４を利用して既設の継電連動装置９を新規の電子連動装置１に置き換えるときの切り替えを行い、短時間に安定して切り替えるとともに、誤接続が生じることを防ぐ。この電子連動装置１を設置するとき、例えば切替リレー装置を設置する必要がないから余分な設置スペースを確保する必要がなく、既設の継電連動装置９の更新を容易に行うことができる。【選択図】    図１
2009001179.tif 000002
【特許請求の範囲】
【請求項１】
フェイルセーフＣＰＵ（ＦＳＣＰＵ）と出力回路及び出力切替回路とを有する鉄道信号保安装置であって、
前記出力切替回路は、コイルが内部電源と切替スイッチとに直列に接続されたＷＤＴリレーを有し、該ＷＤＴリレーの定反位接点の正常時動作接点は、前記出力回路と外部出力端子との間に接続され、前記ＷＤＴリレーの定反位接点の異常時動作接点は外部入力端子と出力端子との間に接続され、前記外部出力端子は被制御機器に接続され、前記外部入力端子は既設装置の出力端子に接続されたことを特徴とする鉄道信号保安装置。
【請求項２】
請求項１記載の鉄道信号保安装置を既設装置に置き換える切替方法であって、
前記鉄道信号保安装置の外部出力端子に被制御機器を接続し、外部入力端子に既設装置の出力端子を接続し、前記切替スイッチを操作して前記ＷＤＴリレーを動作させて前記ＷＤＴリレーの定反位接点を切り替えて前記被制御機器に対する前記鉄道保安装置と既設装置の出力を切り替えることを特徴とする鉄道信号保安装置の切替方法。
【発明の詳細な説明】
【技術分野】
【０００１】
この発明は、例えば電子連動装置や電子端末装置等の鉄道信号保安装置及び既設装置を新設の鉄道信号保安装置に切り替える切替方法、特に切替時間の短縮と誤切替の防止に関するものである。
【背景技術】
【０００２】
鉄道の分野では列車を安全かつ効率的に運行するために信号保安装置が使用されている。この信号保安装置としては連動装置や信号装置、転てつ機、閉そく装置、踏切保安装置等がある。これらの信号保安装置の一部を新規の信号保安装置に置き換える場合、新規の信号保安装置の確認試験を行う必要がある。この新規の信号保安装置の確認試験を行うとき、更新する既設の信号保安装置と新規の信号保安装置の接続を切り替えて行う。
【０００３】
この既設の信号保安装置と新規の信号保安装置の接続を切り替える方法として、特許文献１にはコネクタを差し替えて切り替える方法と切替リレー装置を設けて切り替える方法が開示されている。
【０００４】
コネクタを差し替えて切り替える方法は、図２に示すように、例えば入出力回路等を有する現場機器２０とがコネクタ２１を有するケーブル２２で接続された継電連動装置９を新規の電子連動装置２３に切り替える場合、継電連動装置９を撤去する前に新規の電子連動装置２３を設置するとともに一時接続用の模擬装置２４を設ける。そして継電連動装置９と現場機器２０をケーブル２２で接続し、電子連動装置２３と模擬装置２４をケーブル２５で接続して継電連動装置９の更新前の実機運転を行って動作確認をした後、継電連動装置９と模擬装置２４をケーブル２５で接続し、電子連動装置２３と現場機器２０をケーブル２２で接続して継電連動装置９の更新後の電子連動装置２３による動作試験を行っている。
【０００５】
このコネクタを差し替える切替方法は、作業者が手作業でケーブル２２，２５の接続を切り替えて更新前後の試験を行うため、現場機器２０に接続されている多くのケーブルをコネクタを外して入れ替える必要があり、多くの時間がかかるとともに接続を間違える可能性があるという短所がある。
【０００６】
切替リレー装置を設けて切り替える方法は、図３に示すように、継電連動装置９と現場機器２０と新規の電子連動装置２３と模擬装置２４とともに多数の切替スイッチ２６を有し、継電連動装置９と現場機器２０と新規の電子連動装置２３及び模擬装置２４を同時にケーブルで接続する切替リレー装置２７を設け、この切替リレー装置２７の切替スイッチ２６を操作して現場機器９と模擬装置２４に対する継電連動装置９と電子連動装置２３の接続を切り替えて継電連動装置９の動作試験と更新後の電子連動装置２３の動作試験を行い、試験時間の短縮を図っている。
【０００７】
また、特許文献２に示すように、光ケーブルを備えた電子連動装置を新規の電子連動装置に取り替えるときの接続試験を行うために、更新する電子連動装置と新規の電子連動装置の現場機器等に対する接続を光スイッチで切り替えるようにしている。
【特許文献１】特開２００５−２１２５３２号公報
【特許文献２】特開２０００−５２９８９号公報
【発明の開示】
【発明が解決しようとする課題】
【０００８】
前記のように切替リレー装置や光スイッチを使用した切替方法は、既設の装置と新規の装置を短時間で切り替えて試験することができ、試験時間を短縮できるが、切替リレー装置や光スイッチを使用するとともに既設の装置を新規の装置に切り替えた後に切替リレー装置や光スイッチを撤去する必要がありコスト高になるという短所がある。また、切替リレー装置を使用する場合は、その設置場所も確保する必要があるという問題もある。
【０００９】
この発明は、このような短所を改善し、既設の装置を取り替えるときに、簡単な構成で短時間に安定して切り替えることができる鉄道信号保安装置及びその切替方法を提供することを目的とするものである。
【課題を解決するための手段】
【００１０】
この発明の鉄道信号保安装置は、フェイルセーフＣＰＵ（ＦＳＣＰＵ）と出力回路及び出力切替回路とを有する鉄道信号保安装置であって、前記出力切替回路は、コイルが内部電源と切替スイッチとに直列に接続されたＷＤＴリレーを有し、該ＷＤＴリレーの定反位接点の正常時動作接点は、前記出力回路と外部出力端子との間に接続され、前記ＷＤＴリレーの定反位接点の異常時動作接点は外部入力端子と出力端子との間に接続され、前記外部出力端子は被制御機器に接続され、前記外部入力端子は既設装置の出力端子に接続されたことを特徴とする。
【００１１】
この発明の鉄道信号保安装置の切替方法は、前記鉄道信号保安装置を既設装置に置き換える切替方法であって、前記鉄道信号保安装置の外部出力端子に被制御機器を接続し、外部入力端子に既設装置の出力端子を接続し、前記切替スイッチを操作して前記ＷＤＴリレーを動作させて前記ＷＤＴリレーの定反位接点を切り替えて前記被制御機器に対する前記鉄道保安装置と既設装置の出力を切り替えることを特徴とする。
【発明の効果】
【００１２】
この発明は、ＣＰＵが制御不能な場合に出力を遮断する機能を有するＷＤＴリレーを利用して既設装置を新規の鉄道信号保安装置に置き換えるときの切り替えを行うことにより、既設装置を新規の鉄道信号保安装置に置き換えるとき短時間に安定して切り替えることができるとともに、誤接続が生じることを防ぐことができる。
【００１３】
また、新規の鉄道信号保安装置を設置するとき、例えば切替リレー装置を設置する必要がないから余分な設置スペースを確保する必要がなく、既設装置の更新を容易に行うことができる。
【００１４】
さらに、既設装置を撤去するとき、新規の鉄道信号保安装置から外部電源と既設装置に接続したケーブルを取り外すだけで済むから既設装置の撤去作業を容易に行うことができる。
【発明を実施するための最良の形態】
【００１５】
図１はこの発明の電子連動装置の構成を示すブロック図である。図に示す電子連動装置１は、フェイルセーフＣＰＵ（ＦＳＣＰＵ）２と入出力制御回路３と出力リレーＲ１とＷＤＴリレー４と切替スイッチ５を有する。ＦＳＣＰＵ２は外部条件を入力して２つ以上の信号機や転てつ機などの相互間で、その取り扱いについて一定の順序と制限を付ける連鎖を行う。このＦＳＣＰＵ２は故障や暴走などの制御不能を検出するためのＷＤＴ（Watch Dog Timer）を有する。入出力制御回路３はＦＳＣＰＵ２からの制御出力により出力リレーＲ１の動作を制御するとともに外部条件の入力処理を行う。ＷＤＴリレー４は切替スイッチと直列に接続され、直列接続したＷＤＴリレー４と切替スイッチ５はＦＳＣＰＵ２と内部電源６の間に接続されている。
【００１６】
ＷＤＴリレー４の定反位接点ＷＤＴ−１の正常時動作接点は、出力回路に設けた出力リレーＲ１の正常時動作接点Ｒ１−１と外部出力端子７との間に接続され、定反位接点ＷＤＴ−１の異常時動作接点は外部入力端子８と出力端子７との間に接続されている。外部入力端子８には既設の例えば継電連動装置９の出力端子１０に接続され、継電連動装置９の出力信号を入力する。
【００１７】
このＷＤＴリレー４は、通常は出力回路に接点が直列に接続され、ＣＰＵが制御不能な場合に出力を遮断する機能を有し、ほとんどのＣＰＵ制御方式で利用している。この発明の電子連動装置１では、このＷＤＴリレー４を利用して既設の継電連動装置９を新規の電子連動装置１に置き換えるときの切り替えを行う。
【００１８】
この電子連動装置１を既設の継電連動装置９に置き換えるときの切替方法について説明する。継電連動装置９を撤去する前に電子連動装置１を設置し、継電連動装置９の出力端子１０に接続していた信号現場機器１１との接続ケーブル１２を電子連動装置１の出力端子７に接続し、電子連動装置１の外部入力端子８と継電連動装置９の出力端子１０をケーブル１３で接続する。この状態で切替スイッチ５をオフにしてＷＤＴリレー４のコイルを非励磁にしてＷＤＴリレー４の定反位接点ＷＤＴ−１の異常時動作接点を導通させて外部入力端子８と出力端子７を接続して継電連動装置９と信号現場機器１１とを接続し、継電連動装置９の更新前の実機運転を行って動作確認をする。その後、切替スイッチ５をオンにしてＷＤＴリレー４のコイルを励磁して定反位接点ＷＤＴ−１の正常時動作接点を導通させて信号現場機器１１との接続を電子連動装置１の出力回路に切り替える。そしてＦＳＣＰＵ２の処理を行わせ、電子連動装置１の出力信号を出力リレーＲ１の正常時動作接点Ｒ１−１と定反位接点ＷＤＴ−１の正常時動作接点を介して信号現場機器１１に送って電子連動装置１による動作試験を行う。
【００１９】
このようにＷＤＴリレー４の定反位接点ＷＤＴ−１を利用して信号現場機器１１に対する既設の継電連動装置９と新規の電子連動装置１の制御出力を切り替えることにより短時間に安定して切り替えることができるとともに、誤接続が生じることを防ぐことができる。また、電子連動装置１を設置するとき、例えば切替リレー装置を設置する必要がないから余分な設置スペースを確保する必要がなく、既設の継電連動装置９の更新を容易に行うことができる。さらに、既設の継電連動装置９を撤去するとき、電子連動装置１から継電連動装置９に接続したケーブル１３を取り外すだけで済むから継電連動装置９の撤去作業を容易に行うことができる。
【００２０】
前記説明では電子連動装置１について説明したが、電子端末装置やＣＰＵ制御方式を内蔵した転てつ機や灯器等にも同様に適用して既設装置を更新することができる。
【図面の簡単な説明】
【００２１】
【図１】この発明の電子連動装置の構成を示すブロック図である。
【図２】従来のコネクタを差し替える切替方法の構成図である。
【図３】従来の切替リレー装置を設けて切り替える方法の構成図である。
【符号の説明】
【００２２】
１；電子連動装置、２；ＦＳＣＰＵ、３；入出力制御回路、Ｒ１；出力リレー、
４；ＷＤＴリレー、５；切替スイッチ、６；電源、７；外部出力端子、
８；外部入力端子、９；既設の継電連動装置、１０；出力端子、
１１；信号現場機器、１２，１３；ケーブル。
【図１】
2009001179.tif 000003
【図２】
2009001179.tif 000004
【図３】
2009001179.tif 000005